(57)【特許請求の範囲】
【請求項１】
ネットワーク側が制御チャネル要素アグリゲーションレベルと現在制御チャネル要素リソースの使用情報によって制御チャネル要素リソースを配分することを含み、
前記ネットワーク側が制御チャネル要素アグリゲーションレベルと現在制御チャネル要素リソースの使用情報によって制御チャネル要素リソースを配分することは、
前記ネットワーク側が公共ダウンリンク制御情報ＤＣＩに対応する制御チャネル要素アグリゲーションレベルによって前記公共ＤＣＩに選択される制御チャネル要素リソースを確定することと、
前記ネットワーク側が前記現在制御チャネル要素リソースの使用情報によって前記公共ＤＣＩに選択される前記制御チャネル要素リソースから１つのブロックの制御チャネル要素リソースを確定して前記公共ＤＣＩに配分することとを含み、
前記ネットワーク側が現在制御チャネル要素リソースの使用情報によって前記公共ＤＣＩに選択される前記制御チャネル要素リソースから１つのブロックの制御チャネル要素リソースを確定して前記公共ＤＣＩに配分することは、
前記ネットワーク側が前記公共ＤＣＩに選択される前記制御チャネル要素リソースにボーダー制御チャネル要素に位置する制御チャネル要素リソースがあるか否かを判断することと、
そのような制御チャネル要素リソースがあると判断した場合に、前記ネットワーク側が前記ボーダー制御チャネル要素に位置する制御チャネル要素リソースを前記公共ＤＣＩに配分することと、
そのような制御チャネル要素リソースがないと判断した場合に、前記ネットワーク側が均一法則で前記公共ＤＣＩに選択される前記制御チャネル要素リソースから１つのブロックの制御チャネル要素リソースを確定して前記公共ＤＣＩに配分することとを含む、
ことを特徴とする制御チャネル要素リソースの配分方法。
【請求項２】
ネットワーク側が制御チャネル要素アグリゲーションレベルと現在制御チャネル要素リソースの使用情報によって制御チャネル要素リソースを配分することを含み、
前記ネットワーク側が制御チャネル要素アグリゲーションレベルと現在制御チャネル要素リソースの使用情報によって制御チャネル要素リソースを配分することは、
前記ネットワーク側がユーザー設備ＵＥのＤＣＩに対応する制御チャネル要素アグリゲーションレベルによって前記ＵＥのＤＣＩに選択される制御チャネル要素リソースを確定することと、
前記ネットワーク側が均一法則で前記ＵＥのＤＣＩに選択される前記制御チャネル要素リソースから１つのブロックの制御チャネル要素リソースを確定して前記ＵＥのＤＣＩに配分することとを含み、
前記ネットワーク側が均一法則で前記ＵＥのＤＣＩに選択される前記制御チャネル要素リソースから前記ＵＥのＤＣＩに配分された制御チャネル要素リソースが複数ブロックの制御チャネル要素リソースであることを確定する場合に、前記方法は更に、
前記ネットワーク側が前記複数ブロックの制御チャネル要素リソースにおいて現在制御チャネル要素アグリゲーションレベルより大きく占めた制御チャネル要素アグリゲーションレベルの１つのブロックの制御チャネル要素リソースを選択して前記ＵＥのＤＣＩに配分するステップを含む、
ことを特徴とする制御チャネル要素リソースの配分方法。
【請求項３】
前記ネットワーク側が前記複数ブロックの制御チャネル要素リソースにおいて現在制御チャネル要素アグリゲーションレベルより大きく占めた制御チャネル要素アグリゲーションレベルの１つのブロックの制御チャネル要素リソースを選択して前記ＵＥのＤＣＩに配分することは、
前記ネットワーク側が前記現在制御チャネル要素アグリゲーションレベルより大きい制御チャネル要素アグリゲーションレベルから小さい順に制御チャネル要素アグリゲーションレベルを選択するステップ１と、
前記ネットワーク側が前記複数ブロックの制御チャネル要素において選択された前記制御チャネル要素アグリゲーションレベルを占めた制御チャネル要素リソースが１つのブロックより多いか否かを判断し、多くないと判断した場合に、この制御チャネル要素リソースを前記ＵＥのＤＣＩに配分し、多いと判断した場合に、ステップ１を行うステップ２とを含むことを特徴とする請求項２に記載の方法。
【請求項４】
前記ネットワーク側が均一法則で前記ＵＥのＤＣＩに選択される前記制御チャネル要素リソースから１つのブロックの制御チャネル要素リソースを確定して前記ＵＥのＤＣＩに配分する前に、前記方法はさらに、
前記対応の制御チャネル要素アグリゲーションレベルに対応するＰＤＣＣＨ候補数が予め設定した閾値より大きいか否かを判断することを含むことを特徴とする請求項２又は３に記載の方法。
【請求項５】
制御チャネル要素アグリゲーションレベルと現在制御チャネル要素リソースの使用情報によって制御チャネル要素リソースを配分するための配分モジュールを含み、
前記配分モジュールは、
公共ダウンリンク制御情報ＤＣＩに対応する制御チャネル要素アグリゲーションレベルによって前記公共ＤＣＩに選択される制御チャネル要素リソースを確定するための第１の確定サブモジュールと、
現在制御チャネル要素リソースの使用情報によって前記公共ＤＣＩに選択される前記１つのブロック又は複数のブロックの制御チャネル要素リソースから１つのブロックの制御チャネル要素リソースを確定して前記公共ＤＣＩに配分するための第２の確定サブモジュールとを含み、
前記第２の確定サブモジュールは、
前記公共ＤＣＩに選択される前記制御チャネル要素リソースにボーダー制御チャネル要素に位置する制御チャネル要素リソースがあるか否かを判断するための判断要素と、
そのような制御チャネル要素リソースがあると前記判断要素が判断した場合に、前記ボーダー制御チャネル要素に位置する制御チャネル要素リソースを前記公共ＤＣＩに配分するための第１の配分要素と、
そのような制御チャネル要素リソースがないと前記判断要素が判断した場合に、均一法則で前記公共ＤＣＩに選択される前記制御チャネル要素リソースから１つのブロックの制御チャネル要素リソースを確定して前記公共ＤＣＩに配分するための第２の配分要素とを含む、
ことを特徴とする制御チャネル要素リソースの配分装置。
【請求項６】
制御チャネル要素アグリゲーションレベルと現在制御チャネル要素リソースの使用情報によって制御チャネル要素リソースを配分するための配分モジュールを含み、
前記配分モジュールは、
ユーザー設備ＵＥのＤＣＩに対応する制御チャネル要素アグリゲーションレベルによって前記ＵＥのＤＣＩに選択される制御チャネル要素リソースを確定するための第３の確定サブモジュールと、
均一法則で前記ＵＥのＤＣＩに選択される前記制御チャネル要素リソースから１つのブロックの制御チャネル要素リソースを確定して前記ＵＥのＤＣＩに配分するための第４の確定サブモジュールとを含み、
前記第４の確定サブモジュールが前記ＵＥのＤＣＩに配分した制御チャネル要素リソースが複数ブロックの制御チャネル要素リソースであることを確定した場合に、前記装置は更に、
前記複数ブロックの制御チャネル要素リソースにおいて現在制御チャネル要素アグリゲーションレベルより大きく占めた制御チャネル要素アグリゲーションレベルの１つのブロックの制御チャネル要素リソースを選択して前記ＵＥのＤＣＩに配分するための選択サブモジュールを含む、
ことを特徴とする制御チャネル要素リソースの配分装置。
【発明の詳細な説明】
【技術分野】
【０００１】
本発明は通信分野に関し、具体的には、制御チャネル要素リソースを配分する方法
及び装置に関する。
【背景技術】
【０００２】
長期的発展型（Ｌｏｎｇ−Ｔｅｒｍ  Ｅｖｏｌｕｔｉｏｎ，ＬＴＥと略称）は一種
の通信技術である。物理ダウンリンク制御チャネル（Ｈｉｇｈ  Ｓｐｅｅｄ  Ｐｈｙ
ｓｉｃａｌ  Ｄｏｗｎｌｉｎｋ  Ｃｏｎｔｒｏｌ  Ｃｈａｎｎｅｌ，ＰＤＣＣＨと略
称）は制御チャネル要素（Ｃｏｎｔｒｏｌ  Ｃｈａｎｎｅｌ  Ｅｌｅｍｅｎｔ，ＣＣ
Ｅと略称）から構成され、ダウンリンク制御情報（Ｄｏｗｎｌｉｎｋ  Ｃｏｎｔｒｏ
ｌ  Ｉｎｆｏｒｍａｔｉｏｎ，ＤＣＩと略称）を伝送することに用いられる。ＣＣＥ
は公共空間ＣＣＥ（以下、公共ＣＣＥと略称）及び専用空間ＣＣＥ（以下、専用ＣＣ
Ｅと略称）とに分けられ、ここで、公共ＣＣＥが第０〜１５、共に１６つのＣＣＥで
あり、残ったのが専用ＣＣＥである。第３世代パートナーシッププロジェクト（３ｒ
ｄ  Ｇｅｎｅｒａｔｉｏｎ  Ｐａｒｔｎｅｒｓｈｉｐ  Ｐｒｏｊｅｃｔ，３ＧＰＰと
略称）ＴＳ３６．２１３．８．７．０には、以下の規定がある。すなわち、公共ＣＣ
Ｅが必要となるＤＣＩにとって、用いられたＣＣＥアグリゲーションレベルＬ（Ａｇ
ｇｒｅｇａｔｉｏｎ  ｌｅｖｅｌ  Ｌ）は４又は８のみである。ここで、ＣＣＥアグ
リゲーションレベルＬが４である場合に、ＣＣＥの開始位置がそれぞれ第０、第４、
第８又は第１２のＣＣＥであり、ＣＣＥアグリゲーションレベルＬが８である場合に
、ＣＣＥの開始位置がそれぞれ第０又は第８のＣＣＥである。専用ＣＣＥが必要とな
るＤＣＩにとって、ＤＣＩに配分され占用されたＣＣＥがＨａｓｈ関数で決定され、
Ｈａｓｈ関数がサブフレーム番号、ＣＣＥ総数、ＣＣＥアグリゲーションレベルＬ、
ＰＤＣＣＨ候補数Ｍ(L)（Ｎｕｍｂｅｒ  ｏｆ  ＰＤＣＣＨ  ｃａｎｄｉｄａｔｅｓ
Ｍ(L)）及びユーザー設備（Ｕｓｅｒ  Ｅｑｕｉｐｍｅｎｔ，ＵＥと略称）の無線
ネットワーク臨時識別子（Ｒａｄｉｏ  Ｎｅｔｗｏｒｋ  Ｔｅｍｐｏｒａｒｙ  Ｉｄ
ｅｎｔｉｔｙ，ＲＮＴＩと略称）と関連つけられている。３ＧＰＰ  ＴＳ３６．２１
２．８．７．０によって、ＤＣＩはＤＣＩフォーム０、フォーム１、フォーム１Ａ、
フォーム１Ｂ、フォーム１Ｃ、フォーム１Ｄ、フォーム２、フォーム２Ａ、フォーム
３及びフォーム３Ａを含む。ここで、ＤＣＩフォーム０（以下、ＤＣＩ０と略称）が
ＵＥアップリンク授権に用いられ、ＤＣＩフォーム１、フォーム１Ａ、フォーム１Ｂ
、フォーム１Ｃ、フォーム１Ｄ、フォーム２及びフォーム２Ａ（以下、ＤＣＩｘと総
称）がＵＥダウンリンク配分に用いられる。
【０００３】
ＤＣＩフォーム１、フォーム１Ｂ、フォーム１Ｄ、フォーム２及びフォーム２Ａに
とって、専用ＣＣＥリソースのみを配分でき、ＤＣＩフォーム１Ｃ、フォーム３及び
フォーム３Ａにとって、公共ＣＣＥリソースのみを配分でき、ＤＣＩフォーム０及び
フォーム１Ａにとって、公共ＣＣＥリソース又は専用ＣＣＥリソースを配分できる。
公共ＣＣＥリソースを配分必要があるＤＣＩが公共ＤＣＩと総称する。
【０００４】
メディアアクセス制御（Ｍｅｄｉａ  Ａｃｃｅｓｓ  Ｃｏｎｔｒｏｌ，ＭＡＣと略
称）層はある方式によってＣＣＥリソースを配分する。
【０００５】
現在、ＣＣＥリソースの配分に関する技術は、ＵＥが報告した広帯域チャネル品質
指示（Ｃｈａｎｎｅｌ  Ｑｕａｌｉｔｙ  Ｉｄｅｎｔｉｔｙ，ＣＱＩと略称）及び参
照信号受信パワー（Ｒｅｆｅｒｅｎｃｅ  Ｓｉｇｎａｌ  Ｒｅｃｅｉｖｉｎｇ  Ｐｏ
ｗｅｒ，ＲＳＲＰと略称）情報を用いて公共ＤＣＩとＵＥのＤＣＩが用いたＣＣＥア
グリゲーションレベルＬを判断すること、又はスケジューリング待ちのＤＣＩｘとＤ
ＣＩ０の数及びＣＣＥリソースによってＵＥが用いたＣＣＥアグリゲーションレベル
Ｌを決定することを含む。一般的には、公共ＤＣＩが公共ＣＣＥを配分する場合、ア
イドル公共ＣＣＥから番号が最小の公共ＣＣＥリソースをサーチし、例えば、ある公
共ＤＣＩが現在伝送時間間隔（Ｔｒａｎｓｍｉｓｓｉｏｎ  Ｔｉｍｅ  Ｉｎｔｅｒｖ
ａｌ，ＴＴＩと略称）で４つのＣＣＥリソースを必要とし、且つ公共ＣＣＥリソース
（それぞれＣＣＥ0〜ＣＣＥ15で示す）においてＣＣＥ0〜ＣＣＥ3が既に占用される
。上述方法によれば、ＣＣＥ4〜ＣＣＥ7をこの公共ＤＣＩに配分する。また、ＵＥの
ＤＣＩが専用ＣＣＥを配分する場合に、ＰＤＣＣＨ候補数Ｍ(L)から番号が最小の専
用アイドルＣＣＥリソースをサーチし、例えば、あるＵＥのＤＣＩが現在ＴＴＩで１
つのＣＣＥリソースを必要し、このＵＥのＰＤＣＣＨ候補数Ｍ(l)に対応するＣＣＥ
がそれぞれＣＣＥ4〜ＣＣＥ9であるようにして、且つＣＣＥ5が既に占用される。上
述方法によれば、ＣＣＥ4をこのＵＥのＤＣＩに配分する。このため、関連技術にお
いてアイドルＣＣＥリソース配分を行なって以下の問題が存在する可能性がある。即
ち、複数のＤＣＩがＣＣＥリソース配分を行う場合に、ＣＣＥリソースアイドルがあ
る場合に、あるＤＣＩにＣＣＥリソースを配分できなくリソースの浪費となる。
【発明の概要】
【発明が解決しようとする課題】
【０００６】
本発明は、関連技術におけるアイドルＣＣＥリソース配分の実行に存在するリソー
ス浪費の問題を解決するために提出されるものである。このため、本発明の主な目的
は、上述問題の少なくとも１つを解決するように、制御チャネル要素リソースを配分
する技術を提供することにある。
【課題を解決するための手段】
【０００７】
上述目的を実現するために、本発明の一態様によれば、制御チャネル要素リソース
の配分方法を提供した。
【０００８】
本発明による制御チャネル要素リソースの配分方法は、第１の態様では、ネットワーク側が制御チャネル要素アグリゲーションレベルと現在制御チャネル要素リソースの使用情報によって制御チャネル要素リソースを配分することを含み、前記ネットワーク側が制御チャネル要素アグリゲーションレベルと現在制御チャネル要素リソースの使用情報によって制御チャネル要素リソースを配分することは、前記ネットワーク側が公共ダウンリンク制御情報ＤＣＩに対応する制御チャネル要素アグリゲーションレベルによって前記公共ＤＣＩに選択される制御チャネル要素リソースを確定することと、前記ネットワーク側が前記現在制御チャネル要素リソースの使用情報によって前記公共ＤＣＩに選択される前記制御チャネル要素リソースから１つのブロックの制御チャネル要素リソースを確定して前記公共ＤＣＩに配分することとを含み、前記ネットワーク側が現在制御チャネル要素リソースの使用情報によって前記公共ＤＣＩに選択される前記制御チャネル要素リソースから１つのブロックの制御チャネル要素リソースを確定して前記公共ＤＣＩに配分することは、前記ネットワーク側が前記公共ＤＣＩに選択される前記制御チャネル要素リソースにボーダー制御チャネル要素に位置する制御チャネル要素リソースがあるか否かを判断することと、そのような制御チャネル要素リソースがあると判断した場合に、前記ネットワーク側が前記ボーダー制御チャネル要素に位置する制御チャネル要素リソースを前記公共ＤＣＩに配分することと、そのような制御チャネル要素リソースがないと判断した場合に、前記ネットワーク側が均一法則で前記公共ＤＣＩに選択される前記制御チャネル要素リソースから１つのブロックの制御チャネル要素リソースを確定して前記公共ＤＣＩに配分することとを含む、ことを特徴としている。
【０００９】
本発明による制御チャネル要素リソースの配分方法は、第２の態様では、ネットワーク側が制御チャネル要素アグリゲーションレベルと現在制御チャネル要素リソースの使用情報によって制御チャネル要素リソースを配分することを含み、前記ネットワーク側が制御チャネル要素アグリゲーションレベルと現在制御チャネル要素リソースの使用情報によって制御チャネル要素リソースを配分することは、前記ネットワーク側がユーザー設備ＵＥのＤＣＩに対応する制御チャネル要素アグリゲーションレベルによって前記ＵＥのＤＣＩに選択される制御チャネル要素リソースを確定することと、前記ネットワーク側が均一法則で前記ＵＥのＤＣＩに選択される前記制御チャネル要素リソースから１つのブロックの制御チャネル要素リソースを確定して前記ＵＥのＤＣＩに配分することとを含み、前記ネットワーク側が均一法則で前記ＵＥのＤＣＩに選択される前記制御チャネル要素リソースから前記ＵＥのＤＣＩに配分された制御チャネル要素リソースが複数ブロックの制御チャネル要素リソースであることを確定する場合に、前記方法は更に、前記ネットワーク側が前記複数ブロックの制御チャネル要素リソースにおいて現在制御チャネル要素アグリゲーションレベルより大きく占めた制御チャネル要素アグリゲーションレベルの１つのブロックの制御チャネル要素リソースを選択して前記ＵＥのＤＣＩに配分するステップを含む、ことを特徴としている。
【００１３】
好ましくは、ネットワーク側が複数ブロックの制御チャネル要素リソースにおいて現在制御チャネル要素アグリゲーションレベルより大きく占めた制御チャネル要素アグリゲーションレベルの１つブロックの制御チャネル要素リソースを選択してＵＥのＤＣＩに配分することは、ネットワーク側が現在制御チャネル要素アグリゲーションレベルより大きい制御チャネル要素アグリゲーションレベルから小さい順に制御チャネル要素アグリゲーションレベルを選択するステップ１と、ネットワーク側が複数ブロックの制御チャネル要素リソースにおいて選択された制御チャネル要素アグリゲーションレベルを占めた制御チャネル要素リソースが１つのブロックより多いか否かを判断し、多くないと判断した場合に、この制御チャネル要素リソースをＵＥのＤＣＩに配分し、多いと判断した場合に、ステップ１を行うステップ２と、を含む。
【００１４】
好ましくは、ネットワーク側が均一法則でＵＥのＤＣＩに選択される制御チャネル
要素リソースから１つのブロックの制御チャネル要素リソースを確定してＵＥのＤＣ
Ｉに配分する前に、当該方法は更に、対応の制御チャネル要素アグリゲーションレベ
ルに対応するＰＤＣＣＨ候補数が予め設定した閾値より大きいか否かを判断すること
を含む。
【００１５】
上述目的を実現するために、本発明の別の態様によれば、制御チャネル要素リソー
スの配分装置を提供した。
【００１６】
本発明による制御チャネル要素リソースの配分装置は、第１の態様では、制御チャネル要素アグリゲーションレベルと現在制御チャネル要素リソースの使用情報によって制御チャネル要素リソースを配分するための配分モジュールを含み、前記配分モジュールは、公共ダウンリンク制御情報ＤＣＩに対応する制御チャネル要素アグリゲーションレベルによって前記公共ＤＣＩに選択される制御チャネル要素リソースを確定するための第１の確定サブモジュールと、現在制御チャネル要素リソースの使用情報によって前記公共ＤＣＩに選択される前記１つのブロック又は複数のブロックの制御チャネル要素リソースから１つのブロックの制御チャネル要素リソースを確定して前記公共ＤＣＩに配分するための第２の確定サブモジュールとを含み、前記第２の確定サブモジュールは、前記公共ＤＣＩに選択される前記制御チャネル要素リソースにボーダー制御チャネル要素に位置する制御チャネル要素リソースがあるか否かを判断するための判断要素と、そのような制御チャネル要素リソースがあると前記判断要素が判断した場合に、前記ボーダー制御チャネル要素に位置する制御チャネル要素リソースを前記公共ＤＣＩに配分するための第１の配分要素と、そのような制御チャネル要素リソースがないと前記判断要素が判断した場合に、均一法則で前記公共ＤＣＩに選択される前記制御チャネル要素リソースから１つのブロックの制御チャネル要素リソースを確定して前記公共ＤＣＩに配分するための第２の配分要素とを含む、ことを特徴としている。
【００１７】
本発明による制御チャネル要素リソースの配分装置は、第２の態様では、制御チャネル要素アグリゲーションレベルと現在制御チャネル要素リソースの使用情報によって制御チャネル要素リソースを配分するための配分モジュールを含み、前記配分モジュールは、ユーザー設備ＵＥのＤＣＩに対応する制御チャネル要素アグリゲーションレベルによって前記ＵＥのＤＣＩに選択される制御チャネル要素リソースを確定するための第３の確定サブモジュールと、均一法則で前記ＵＥのＤＣＩに選択される前記制御チャネル要素リソースから１つのブロックの制御チャネル要素リソースを確定して前記ＵＥのＤＣＩに配分するための第４の確定サブモジュールとを含み、前記第４の確定サブモジュールが前記ＵＥのＤＣＩに配分した制御チャネル要素リソースが複数ブロックの制御チャネル要素リソースであることを確定した場合に、前記装置は更に、前記複数ブロックの制御チャネル要素リソースにおいて現在制御チャネル要素アグリゲーションレベルより大きく占めた制御チャネル要素アグリゲーションレベルの１つのブロックの制御チャネル要素リソースを選択して前記ＵＥのＤＣＩに配分するための選択サブモジュールを含む、ことを特徴としている。
【００２１】
本発明によれば、制御チャネル要素アグリゲーションレベルと現在制御チャネル要
素リソースの使用情報によって制御チャネル要素リソースを配分することを用いて、
関連技術におけるアイドルＣＣＥリソース配分の実行に存在するリソース浪費の問題
を解決し、更にアイドルＣＣＥリソースを効果的に利用する効果を達成した。
【発明の効果】
【００２２】
関連技術におけるアイドルＣＣＥリソース配分を行なうときに存在するリソース浪
費の問題を考慮して、本発明がＣＣＥリソースを配分する技術を提供し、この技術は
制御チャネル要素アグリゲーションレベルと現在制御チャネル要素リソースの使用情
報によって制御チャネル要素リソースに対して配分を行うことにより、関連技術にお
けるアイドルＣＣＥリソース配分を行なうときに存在するリソース浪費の問題を解決
し、従来のＣＣＥリソースの配分技術に比べて、この技術は更にＣＣＥリソース利用
率を上げた。
【図面の簡単な説明】
【００２３】
ここで説明する図面は本発明を理解させるためのもので、本発明の一部を構成し、
本発明における模式的な実施例とその説明と共に本発明を解釈し、本発明を不当に限
定するものではない。図面において、
【図１】本発明実施例による実例１のＣＣＥリソースの配分方法のフローチャートである。
【図２】本発明実施例による公共ＤＣＩにＣＣＥアグリゲーションレベルが４のＣＣＥリソースを配分する模式図である。
【図３】本発明実施例による実例２のＣＣＥリソースの配分方法のフローチャートである。
【図４】本発明実施例による公共ＤＣＩにＣＣＥリソースを配分する模式図である。
【図５】本発明実施例による実例３のＣＣＥリソースを配分する模式図である。
【図６】本発明実施例による実例３のＣＣＥリソースを配分する方法のフローチャートである。
【図７】本発明実施例による実例４のＣＣＥリソースを配分する方法のフローチャートである。
【図８】本発明実施例によるＵＥのＤＣＩにＣＣＥアグリゲーションレベルが８のＣＣＥリソースを配分する模式図である。
【図９】本発明実施例によるＵＥのＤＣＩにＣＣＥアグリゲーションレベルが２及び１のＣＣＥリソースを配分する模式図である。
【図１０】本発明実施例によるＣＱＩとＰＤＣＣＨ符号化率との間のマッピング関係模式図である。
【図１１】本発明実施例によるＣＣＥリソースを配分する装置の一の態様の具体的な構造ブロック図である。
【図１２】本発明実施例によるＣＣＥリソースを配分する装置の別の態様の具体的な構造ブロック図である。
【発明を実施するための形態】
【００２４】
以下、図面と実施例を参照しながら、本発明を詳しく説明する。なお、対立してい
ない場合に、本願における実施例及び実施例における特徴を相互に結合してもよい。
【００２５】
「方法実施例」
本発明の実施例によれば、ＣＣＥリソースを配分する方法を提供した。この方法は
、ネットワーク側がＣＣＥアグリゲーションレベルと現在ＣＣＥリソースの使用情報
によってＣＣＥリソースを配分することを含む。
【００２６】
この実施例によると、ＣＣＥアグリゲーションレベルを用いてＣＣＥリソースを配
分するとともに、現在ＣＣＥリソースの使用情報を導入することにより、アイドルＣ
ＣＥリソースがある場合に、アイドルＣＣＥリソースを必要なＤＣＩに配分し、リソ
ース浪費を避け、アイドルＣＣＥリソースを効果的に利用する効果を達成できる。
【００２７】
ネットワーク側がＣＣＥリソースを配分することは、公共ＤＣＩにＣＣＥリソース
を配分することと、ＵＥのＤＣＩにＣＣＥリソースを配分することとを含む。以下、
上記状況に対してそれぞれ詳しく説明する。
【００２８】
「公共ＤＣＩ」
各公共ＤＣＩにとって、現在ＴＴＩ時刻の公共ＤＣＩスケジューリング行列から１
つの公共ＤＣＩを順次に取得し、ネットワーク側がＣＣＥアグリゲーションレベルと
現在ＣＣＥリソースの使用情報によってＣＣＥリソースを配分するステップは、ネッ
トワーク側が公共ＤＣＩに対応するＣＣＥアグリゲーションレベルによって公共ＤＣ
Ｉに選択されるＣＣＥリソース（各ブロックのＣＣＥリソースの大きさが公共ＤＣＩ
が用いたＣＣＥアグリゲーションレベルである）を確定することと、そして、ネット
ワーク側が現在ＣＣＥリソースの使用情報によって公共ＤＣＩに選択されるＣＣＥリ
ソースから１ブロックのＣＣＥリソースを確定して公共ＤＣＩに配分することとを含
む。ここで、現在ＣＣＥリソースの使用情報は、現在アイドルＣＣＥリソースの分布
情況、現在アイドルＣＣＥリソースの位置を含んでよい。
【００２９】
この実施例は、ＣＣＥアグリゲーションレベルを利用して公共ＤＣＩに選択される
ＣＣＥリソース範囲を確定し、現在ＣＣＥリソースの使用情報を用いて公共ＤＣＩに
配分するＣＣＥリソースを確定することにより、アイドルＣＣＥリソースを公共ＤＣ
Ｉに効果的に配分する。
【００３０】
ネットワーク側が現在ＣＣＥリソースの使用情報を用いて公共ＤＣＩに選択される
ＣＣＥリソースから１ブロックのＣＣＥリソースを確定して公共ＤＣＩに配分するこ
とは、ネットワーク側が公共ＤＣＩに選択されるためのＣＣＥリソースにはボーダー
ＣＣＥに位置するＣＣＥリソースがあるか否かを判断し、そのようなＣＣＥリソース
あると判断される場合、ネットワーク側がボーダーＣＣＥに位置するＣＣＥリソース
を公共ＤＣＩに配分し、そのようなＣＣＥリソースがないと判断される場合、ネット
ワーク側が均一法則で１ブロック又は複数ブロックのＣＣＥから１ブロックのＣＣＥ
を確定して公共ＤＣＩに配分することを含む。
【００３１】
ボーダーＣＣＥは先端ボーダーＣＣＥ及び末端ボーダーＣＣＥを含み、具体的な定
義は以下のとおりである。
セル全体の現在ＴＴＩのＣＣＥリソースの総数をＮとし、順次にＣＣＥ0〜ＣＣＥ
N-1で示すと、先端ボーダーＣＣＥがＣＣＥ0であり、末端ボーダーＣＣＥがＣＣＥT
であり、ここで、Ｔが公式(１．１)により算出される。
【数１】
0005571195.tif 000002
【００３２】
均一法則とはネットワーク側が用いたＣＣＥリソースをＣＣＥ領域全体内に均一に
分布させることを指す。
【００３３】
この実施例によると、ＤＣＩに配分されたＣＣＥリソースがＣＣＥ領域全体内に均
一に分布するように、アイドルボーダーＣＣＥが存在する場合に、公共ＤＣＩにボー
ダーＣＣＥを配分し、アイドルボーダーＣＣＥが存在しない場合に、均一法則で公共
ＤＣＩにＣＣＥを配分する。
【００３４】
ネットワーク側が現在ＣＣＥリソースの使用情報によって公共ＤＣＩに選択される
ＣＣＥリソースから１ブロックのＣＣＥリソースを確定して公共ＤＣＩに配分するこ
とは、ネットワーク側が均一法則で１つのブロック又は複数のブロックのＣＣＥから
１つのブロックのＣＣＥを確定して公共ＤＣＩに配分することを含む。
【００３５】
この実施例は、ＤＣＩに配分されたＣＣＥリソースがＣＣＥ領域全体内に均一に分
布するように、均一法則で公共ＤＣＩにＣＣＥを配分する。
【００３６】
「ＵＥのＤＣＩ」
各ＵＥのＤＣＩについて、現在ＴＴＩ時刻のＵＥスケジューリング行列から１つの
ＵＥのＤＣＩを順次に取得し、ネットワーク側がＣＣＥアグリゲーションレベルと現
在ＣＣＥリソースの使用情報によってＣＣＥリソースを配分することは、ネットワー
ク側がＵＥのＤＣＩに対応するＣＣＥアグリゲーションレベルによってＵＥのＤＣＩ
に選択されるＣＣＥリソース（各ブロックＣＣＥリソースの大きさがＵＥのＤＣＩに
用いられたＣＣＥアグリゲーションレベルである）を確定し、そして、ネットワーク
側が均一法則でＵＥのＤＣＩに選択されるためのＣＣＥリソースから１つのブロック
のＣＣＥリソースを確定してＵＥのＤＣＩに配分する。
【００３７】
この実施例は、ＣＣＥアグリゲーションレベルを用いてＵＥのＤＣＩに選択される
ＣＣＥリソース範囲を確定し、現在ＣＣＥリソースの使用情報を用いてＵＥのＤＣＩ
に配分するＣＣＥリソースを確定することにより、アイドルＣＣＥリソースをＵＥの
ＤＣＩに効果的に配分する。均一法則とは、ネットワーク側が用いたＣＣＥリソース
をＣＣＥ領域全体内に均一に分布させることを指し、具体的な内容が以下のとおりで
ある。
【００３８】
ネットワーク側が均一法則でＵＥのＤＣＩに選択されるＣＣＥリソースからＵＥの
ＤＣＩに配分すると確定されたＣＣＥリソースは、複数ブロックのＣＣＥリソースで
ある場合に、ネットワーク側が複数ブロックのＣＣＥリソースにおいて現在ＣＣＥア
グリゲーションレベルより大きく占めたＣＣＥアグリゲーションレベルの１つのブロ
ックのＣＣＥリソースを選択してＵＥのＤＣＩに配分する。例えば、ネットワーク側
がＵＥのＤＣＩに選択される複数ブロックのＣＣＥリソースを確定する根拠は、現在
のＣＣＥアグリゲーションレベルが２であると、ネットワーク側が複数ブロックのＣ
ＣＥリソースから周囲領域におけるアグリゲーションレベル４を占めた又は同時に周
囲領域におけるアグリゲーションレベル４と８を占めたＣＣＥリソースを選択してこ
のＵＥのＤＣＩに配分する。
【００３９】
この実施例は、ＤＣＩに配分されたＣＣＥリソースをＣＣＥ領域全体内に均一に分
布させるように、均一法則でＵＥのＤＣＩにＣＣＥを配分する。
【００４０】
ここで、ネットワーク側が複数ブロックのＣＣＥリソースにおける現在ＣＣＥアグ
リゲーションレベルより大きく占めたＣＣＥアグリゲーションレベルの１つのブロッ
クのＣＣＥリソースを選択してＵＥのＤＣＩに配分することは、以下のステップを含
む。
すなわち、ステップ１において、ネットワーク側が現在制御チャネルアグリゲーシ
ョンレベルより大きいＣＣＥアグリゲーションレベルから小さい順にＣＣＥアグリゲ
ーションレベルを選択し、例えば、現在のＣＣＥアグリゲーションレベルが２である
と、アグリゲーションレベル集合[４、８]から小さい順にアグリゲーションレベルを
選択する。
次いで、ステップ２において、ネットワーク側が複数ブロックのＣＣＥリソースに
おいて選択された制御チャネルアグリゲーションレベルを占めたＣＣＥリソースが１
つのブロックより多いか否かを判断し、多くないと判断した場合に、このＣＣＥリソ
ースをＵＥのＤＣＩに配分し、多いと判断した場合に、ステップ１を行う。例えば、
現在のＣＣＥアグリゲーションレベルが２であると、アグリゲーションレベル集合[
４、８]から小さい順にアグリゲーションレベルを選択し、複数ブロックのＣＣＥリ
ソースにおいてアグリゲーションレベル４を占めたＣＣＥリソースも複数ブロックが
あると、更にアグリゲーションレベル８を占めたＣＣＥリソースが１つのブロックで
あるか否かを判断する。
【００４１】
この実施例において、選択されたＣＣＥアグリゲーションレベルにおいて配分条件
を満たすＣＣＥリソースが１つのブロックになるまで、小さい順に現在ＣＣＥアグリ
ゲーションレベルより大きいＣＣＥアグリゲーションレベルを１つずつ選択し、これ
により、条件を満たすアグリゲーションレベル最小のＣＣＥリソースを選択できる。
【００４２】
ＵＥのＤＣＩに対してＣＣＥリソースの配分を行う場合に、ネットワーク側が均一
法則でＵＥのＤＣＩに選択される複数ブロックの制御チャネル要素リソースから１つ
のブロックの制御チャネル要素リソースを確定してＵＥのＤＣＩに配分する前、対応
の制御チャネル要素アグリゲーションレベルに対応するＰＤＣＣＨ候補数が予め設定
した閾値より大きいか否かを判断する。
【００４３】
この実施例はＰＤＣＣＨ候補数が予め設定した閾値より大きいことにより、配分待
ちのＣＣＥリソースが配分の要求に満たすようになる。
【００４４】
ネットワーク側がＣＣＥアグリゲーションレベルによってＣＣＥリソースを配分す
るステップは、ネットワーク側が現在ＴＴＩ時刻のＵＥスケジューリング行列から１
つのＵＥのＤＣＩを取得し、ネットワーク側がこのＵＥのＤＣＩに対応するＣＣＥア
グリゲーションレベル集合から１つのＣＣＥアグリゲーションレベルを選択し、そし
て選択されたＣＣＥアグリゲーションレベルを用いてこのＵＥのＤＣＩに対してＣＣ
Ｅリソースの配分を行うことを含む。
【００４５】
ＰＤＣＣＨ候補領域でＣＣＥリソースを配分する原則は、ＣＣＥアグリゲーション
レベル、ＰＤＣＣＨ候補領域が位置する位置、ＰＤＣＣＨ候補領域における配分可能
なＣＣＥリソース数、ＣＣＥリソースの使用情況及び残ったＣＣＥリソース等の情報
によってＵＥのＤＣＩに用いられるＣＣＥリソースを決定する。
【００４６】
以下、実例を合わせて本発明実施例の実現プロセスを詳しく説明する。
【００４７】
公共空間ＣＣＥについて、一般的に、ＣＣＥアグリゲーションレベルＬ４又は８を
用いて配分に必要な公共空間ＣＣＥの位置情報を取得し、ＣＣＥアグリゲーションレ
ベルＬが４である場合に、ＣＣＥの開始位置情報が０、４、８又は１２であり、ＣＣ
ＥアグリゲーションレベルＬが８である場合に、ＣＣＥの開始位置情報が０又は８で
ある。本発明実施例が公共空間ＣＣＥの位置情報を取得する場合に、４を用いてアグ
リゲーションレベルの値とする。表１が公共空間ＣＣＥの位置情報を取得するプロセ
スを示しており、表１は参照されるＣＣＥアグリゲーションレベルとＰＤＣＣＨ候補
数との対応関係を示している。
【表１】
0005571195.tif 000003
【００４８】
専用空間ＣＣＥについて、ＰＤＣＣＨ候補数とＣＣＥアグリゲーションレベルの対
応関係が表２に示されている。
【表２】
0005571195.tif 000004
【００４９】
「実例１」
あるＴＴＩで、ある公共ＤＣＩに対してＣＣＥ配分を行う。このＴＴＩ内のセルの
ＣＣＥリソースをＣＣＥ0〜ＣＣＥ31とし、ここで、ＣＣＥ0〜ＣＣＥ3が既に占用さ
れ、図１は本発明実施例による実例１のＣＣＥリソースを配分する方法のフローチャ
ートであり、図２は本発明実施例による公共ＤＣＩにＣＣＥアグリゲーションレベル
が４のＣＣＥリソースを配分する模式図であり、図１に示すように、この方法は以下
のステップＳ１０２〜ステップＳ１０４を含む。
【００５０】
ステップＳ１０２において、既存の技術を用いてこの公共ＤＣＩの使用可能なＣＣ
ＥアグリゲーションレベルＬｃｏｍを算出し、例えば、ＵＥが報告した広帯域ＣＱＩ
とＲＳＲＰ情報によって公共ＤＣＩとＵＥのＤＣＩに用いられるＣＣＥアグリゲーシ
ョンレベルＬを判断し、Ｌｃｏｍを４とする。
【００５１】
ステップＳ１０４において、ＣＣＥアグリゲーションレベルＬｃｏｍを用いてＣＣ
Ｅ配分を行う。ＣＣＥアグリゲーションレベルＬｃｏｍによって、公共ＣＣＥリソー
スにおける配分可能なＣＣＥリソースがＣＣＥ4〜ＣＣＥ7、ＣＣＥ8〜ＣＣＥ11、Ｃ
ＣＥ12〜ＣＣＥ15であり、図２(ｂ)に示されている。
【００５２】
用いられたＣＣＥアグリゲーションレベルＬｃｏｍが公共ＣＣＥ領域で複数ブロッ
クの配分可能なＣＣＥリソースを有すると判断された場合に、以下の処理を行う。
【００５３】
用いられたＣＣＥアグリゲーションレベルＬｃｏｍが４であると判断する。
【００５４】
公共ＣＣＥ領域で複数ブロックの配分可能なＣＣＥリソースを有する場合、先端ボ
ーダーＣＣＥのＣＣＥリソースがあると、このブロックＣＣＥリソースをこの公共Ｄ
ＣＩに配分し、先端ボーダーＣＣＥのＣＣＥリソースがないと、均一法則でＣＣＥの
配分を行い、使用されたＣＣＥリソースをＣＣＥリソース全体にできるだけ均一に分
布させる。図２(ｂ)において、配分可能なＣＣＥリソースでは、先端ボーダーＣＣＥ
のＣＣＥリソースがないため、図２(ｃ)に示すように、均一法則によって、ＣＣＥ1
2〜ＣＣＥ15をこの公共ＤＣＩに配分する。本実施例では、先端ボーダーＣＣＥがあ
るか否かにかかわらず、均一法則を直接利用してＣＣＥの配分を行なってもよい。こ
のようにして処理が終了する。
【００５５】
「実例２」
以下、ＣＱＩとＰＤＣＣＨ符号化率のマッピング関係によってＣＣＥアグリゲーシ
ョンレベルを確定することを例として、公共ＤＣＩＣＣＥにリソースを配分する実現
プロセスを説明し、公共ＤＣＩについて、ネットワーク側がＣＱＩとＰＤＣＣＨ符号
化率のマッピング関係によって相応の公共ＤＣＩに現在ＴＴＩ時刻で適当なＰＤＣＣ
Ｈ符号化率を選択してから、この公共ＤＣＩに必要なＣＣＥアグリゲーションレベル
Ｌｃｏｍｍｉｎを選択し、そして、ＣＣＥアグリゲーションレベルと公共ＣＣＥ領域
のＣＣＥ使用情報によって公共ＤＣＩが用いたＣＣＥリソースを決定する。
【００５６】
図３は本発明実施例による実例２のＣＣＥリソースを配分する方法のフローチャー
トであり、図３に示すように、この方法は以下のステップＳ３０２〜ステップＳ３０
６を含む。
【００５７】
ステップＳ３０２において、ネットワーク側がＣＱＩとＰＤＣＣＨ符号化率のマッ
ピング関係及びセルにおけるすべてのアクティブにしたＵＥの現在ＴＴＩの最小広帯
域ＣＱＩによって、公共ＤＣＩに適当なＰＤＣＣＨ符号化率を選択し、ここで、この
ＰＤＣＣＨ符号化率は、ＣＱＩとＰＤＣＣＨ符号化率のマッピング関係によって、セ
ルにおけるすべてのアクティブにしたＵＥが現在ＴＴＩの最小広帯域でＣＱＩに必要
な最小ＰＤＣＣＨ符号化率である。
【００５８】
ステップＳ３０４において、ネットワーク側が公共ＤＣＩに選択されたＰＤＣＣＨ
符号化率によって、公共ＤＣＩに現在ＴＴＩ時刻でＣＣＥアグリゲーションレベル集
合[４,８]から必要な最小ＣＣＥアグリゲーションレベルＬｃｏｍｍｉｎを選択する
。
【００５９】
ステップＳ３０６において、各公共ＤＣＩについて、現在ＴＴＩ時刻の公共ＤＣＩ
スケジューリング行列から１つの公共ＤＣＩを順次に取得し、以下の処理を行う。即
ち、この公共ＤＣＩに対応するＣＣＥアグリゲーションレベルＬｃｏｍｍｉｎを順次
に用いてＣＣＥ配分を行う。
【００６０】
ＣＣＥアグリゲーションレベルを用いてＣＣＥ配分を行う原則は、ＣＣＥアグリゲ
ーションレベルと公共ＣＣＥ領域のＣＣＥ使用情報によって公共ＤＣＩに用いられる
ＣＣＥリソースを決定する。
【００６１】
公共ＤＣＩに対してＣＣＥリソース配分を行うことは以下のような３種類の状況に
分けられる。
１）用いられたＣＣＥアグリゲーションレベルＬｃｏｍｍｉｎが公共ＣＣＥ領域にお
いて配分可能なＣＣＥリソースがない場合に、この公共ＤＣＩに対するＣＣＥリソー
ス配分を終了する。
２）用いられたＣＣＥアグリゲーションレベルＬｃｏｍｍｉｎは、公共ＣＣＥ領域に
おいて配分可能なＣＣＥリソースが１つのブロックのみである場合に、このブロック
ＣＣＥリソースをこの公共ＤＣＩに配分する。
３）用いられたＣＣＥアグリゲーションレベルＬｃｏｍｍｉｎは、公共ＣＣＥ領域に
おいて配分可能なＣＣＥリソースが複数ブロックである場合に、処理ステップが以下
のとおりである。
【００６２】
ステップ１において、用いられたＣＣＥアグリゲーションレベルＬｃｏｍｍｉｎが
４又は８であるかを判断し、８である場合、ボーダーのＣＣＥリソースＣＣＥ0〜Ｃ
ＣＥ7をこの公共ＤＣＩに配分して、フローを終了する。４である場合、ステップ２
を実行する。
【００６３】
ステップ２において、公共ＣＣＥ領域で複数ブロックの配分可能なＣＣＥリソース
がある場合に、先端ボーダーＣＣＥのＣＣＥリソース（即ち、配分可能なＣＣＥリソ
ースにＣＣＥ0が含まれる）があると、このブロックＣＣＥリソースをこの公共ＤＣ
Ｉに配分し、先端ボーダーＣＣＥのＣＣＥリソース（即ち、配分可能なＣＣＥリソー
スにＣＣＥ0が含まれる）がないと、均一法則でＣＣＥリソースの配分を行い、使用
されたＣＣＥリソースをＣＣＥリソース全体にできるだけ均一に分布させる。
【００６４】
例えば、図４は本発明実施例による公共ＤＣＩにＣＣＥリソースを配分する模式図
であり、図４に示すように、図４（ａ）では、ある公共ＤＣＩに対して用いられたＣ
ＣＥアグリゲーションレベルＬｃｏｍｍｉｎが４であり、現在使用可能な公共ＣＣＥ
領域にＣＣＥ4〜ＣＣＥ7、ＣＣＥ8〜ＣＣＥ11及びＣＣＥ12〜ＣＣＥ15という配分可
能な３つのブロックのＣＣＥリソースがある場合、均一法則によって、ＣＣＥ12〜Ｃ
ＣＥ15をこの公共ＤＣＩに配分する。
【００６５】
また、図４（ｂ）では、ある公共ＤＣＩに対して用いられたＣＣＥアグリゲーショ
ンレベルＬｃｏｍｍｉｎが４であり、現在使用可能な公共ＣＣＥ領域でＣＣＥ4〜Ｃ
ＣＥ7及びＣＣＥ8〜ＣＣＥ11という配分可能な２つのブロックのＣＣＥリソースがあ
る場合、均一法則によって、ＣＣＥ8〜ＣＣＥ11をこの公共ＤＣＩに配分する。
【００６６】
なお、図４における配分領域が公共ＣＣＥ領域での配分可能なＣＣＥリソースを示
す。このようにして処理が終了する。
【００６７】
「実例３」
あるＴＴＩで、あるＵＥのＤＣＩに対してＣＣＥ配分を行う。図５は本発明実施例
による実例３のＣＣＥリソースを配分する模式図であり、このＴＴＩ内のセルのＣＣ
ＥリソースをＣＣＥ0〜ＣＣＥ23とし、ここで、ＣＣＥ0〜ＣＣＥ7、ＣＣＥ10及びＣ
ＣＥ15が既に占用され、図５(ａ)に示すよう。閾値Ｂを２とする。図６は本発明実施
例による実例３のＣＣＥリソースを配分する方法のフローチャートであり、図６に示
すように、この方法は以下のステップＳ６０２〜ステップＳ６０４を含む。
【００６８】
ステップＳ６０２において、既存の技術を用いてこのＵＥのＤＣＩの使用可能なＣ
ＣＥアグリゲーションレベル集合が[１,２,４,８]であることを算出する。
【００６９】
ステップＳ６０４において、ＣＣＥアグリゲーションレベル集合[１,２,４,８]か
ら１つのＣＣＥアグリゲーションレベルを順次に取得し、そして、このＵＥのこのＤ
ＣＩにＣＣＥリソースが配分される又は集合[１,２,４,８]におけるＣＣＥアグリゲ
ーションレベルが使用済になるまで、ＣＣＥ配分を行う。
【００７０】
まず、ＣＣＥアグリゲーションレベルが１であることにより、このＵＥのこのＤＣ
Ｉに対してＣＣＥ配分を行い、このＴＴＩ内で、このＵＥがＣＣＥアグリゲーション
レベルが１である配分可能なＣＣＥリソースをなくすことができ且つこのＵＥの使用
可能なＣＣＥアグリゲーションレベル集合には使用可能なＣＣＥアグリゲーションレ
ベルがあることを判断し、ＣＣＥアグリゲーションレベルが２であることにより、こ
のＵＥのこのＤＣＩに対してＣＣＥ配分を行う。
【００７１】
このＴＴＩ内で、このＵＥに用いられるＣＣＥアグリゲーションレベルが２である
配分可能なＣＣＥリソースは、それぞれがＣＣＥ8〜ＣＣＥ9、ＣＣＥ12〜ＣＣＥ13、
ＣＣＥ16〜ＣＣＥ17及びＣＣＥ18〜ＣＣＥ19である。
【００７２】
用いられたＣＣＥアグリゲーションレベルが２である場合に、算出されたＰＤＣＣ
Ｈ候補領域には複数のブロックの配分可能なＣＣＥリソースがあることを判断し、表
２に示すように、ＣＣＥアグリゲーションレベルが２である場合に、対応するＰＤＣ
ＣＨ候補数が６であり、ＣＣＥアグリゲーションレベルが２である場合に、対応する
ＰＤＣＣＨ候補数が閾値Ｂより多いことを判断し、以下のような処理を行う。
【００７３】
集合性の均一法を用いてＣＣＥの配分を行い、即ち、同時に２つの方面を両立させ
、第１方面が均一性を指し、即ち、使用されたＣＣＥリソースをＣＣＥリソース全体
にできるだけ均一に分布させ、第２方面が集合性を指し、即ち、使用されたＣＣＥリ
ソースをある又は複数のＣＣＥアグリゲーションレベルが占用しようとするＣＣＥリ
ソースにできるだけ占めさせる。
【００７４】
一般的には、ＰＤＣＣＨ候補領域に関連付けて占用されたＣＣＥリソースを合わせ
て構成された一つ上のレベルのＣＣＥアグリゲーションレベルの本層ＣＣＥアグリゲ
ーションレベルの大きさの１つのブロックのアイドルＣＣＥリソースが存在する場合
に、第２方面、即ち集合性を優先的に考慮し、即ち、このアイドルＣＣＥリソースを
配分することを優先的に考慮する。図５(ｂ)によって分かるように、ＣＣＥ8〜ＣＣ
Ｅ9及びＣＣＥ12〜ＣＣＥ13がそれぞれＣＣＥ10〜ＣＣＥ11及びＣＣＥ14〜ＣＣＥ15
とを合わせて一つ上のレベルのＣＣＥアグリゲーションレベル（即ＣＣＥアグリゲー
ションレベル４）構成したため、ＣＣＥ8〜ＣＣＥ9及びＣＣＥ12〜ＣＣＥ13を優先的
に考慮する。
【００７５】
更に、ＰＤＣＣＨ候補領域に関連付けて占用されたＣＣＥリソースを合わせて構成
された一つ上のレベルのＣＣＥアグリゲーションレベルの本層ＣＣＥアグリゲーショ
ンレベルの大きさの複数ブロックのアイドルＣＣＥリソースが存在する場合に、更に
、これらアイドルＣＣＥリソースブロックに対して均一法則で判断する。このため、
ＣＣＥ8〜ＣＣＥ9及びＣＣＥ12〜ＣＣＥ13との２つのブロックのアイドルＣＣＥリソ
ースに対して均一法則で判断し、図５(ｃ)に示すように、アイドルＣＣＥリソースＣ
ＣＥ12〜ＣＣＥ13をこのＵＥのＤＣＩに配分する。このようにして処理が終了する。
【００７６】
「実例４」
以下、ＣＱＩとＰＤＣＣＨ符号化率のマッピング関係によってＣＣＥアグリゲーシ
ョンレベルを確定することを例として、ＵＥのＤＣＩにＣＣＥリソースを配分する実
現プロセスを説明する。ＵＥについて、ネットワーク側がＣＱＩとＰＤＣＣＨ符号化
率のマッピング関係によって相応のＵＥの現在ＴＴＩ時刻配分待ちＣＣＥリソースの
ＤＣＩ情報に適当なＰＤＣＣＨ符号化率を選択し、そしてこのＤＣＩに必要なＣＣＥ
アグリゲーションレベル集合[Ｌｕｅｍｉｎ,…,８]を選択し、そして、ＣＣＥアグリ
ゲーションレベル、ＰＤＣＣＨ候補領域が位置する位置、ＰＤＣＣＨ候補領域におけ
る配分可能なＣＣＥリソース数及びＰＤＣＣＨ候補領域付近ＣＣの使用情況等の情報
によってこのＵＥのこのＤＣＩが用いるＣＣＥリソースを決定する。
【００７７】
図７は本発明実施例による実例４のＣＣＥリソースを配分する方法のフローチャー
トであり、図７に示すように、この方法は以下のステップＳ７０２〜ステップＳ７０
６を含む。
【００７８】
ステップＳ７０２において、ネットワーク側がＣＱＩとＰＤＣＣＨ符号化率のマッ
ピング関係によって相応のＵＥに適当なＰＤＣＣＨ符号化率を選択する。
【００７９】
ステップＳ７０４において、ネットワーク側がこのＵＥに選択されたＰＤＣＣＨ符
号化率によって、このＵＥの現在ＴＴＩ時刻での配分待ちＣＣＥリソースのＤＣＩ情
報に必要な最小ＣＣＥアグリゲーションレベルＬｕｅｍｉｎを選択し、そして、この
ＤＣＩの使用可能なＣＣＥアグリゲーションレベルが、ＣＣＥアグリゲーションレベ
ル集合[１,２,４,８]からすべてのＬｕｅｍｉｎ以上の値を取得することを確定し、
それらによって構成される集合を[Ｌｕｅｍｉｎ,…,８]とさせる。
【００８０】
ステップＳ７０６において、各ＵＥのＤＣＩについて、現在ＴＴＩ時刻のＵＥスケ
ジューリング行列から１つのＵＥのＤＣＩを順次に取得し、以下のような処理を行う
。このＵＥのＤＣＩに対応するＣＣＥアグリゲーションレベル集合[Ｌｕｅｍｉｎ,…
,８]から１つのＣＣＥアグリゲーションレベルを順次に取得し、このＵＥのこのＤＣ
ＩにＣＣＥリソースが配分される又は集合[Ｌｕｅｍｉｎ,…,８]におけるＣＣＥアグ
リゲーションレベルを使用済みになるまで、ＣＣＥ配分を行う。
【００８１】
ネットワーク側は発展型基地局（Ｅｖｏｌｖｅｄ  ＮｏｄｅＢ，ｅＮＢと略称）で
あってもよい。
【００８２】
ＵＥのＤＣＩにＣＣＥリソースを配分することは以下の３種の状況に分けられる。
１）用いられたＣＣＥアグリゲーションレベルＬで算出されたＰＤＣＣＨ候補領域に
は、配分可能なＣＣＥリソースがない。この場合に、集合[Ｌｕｅｍｉｎ,…,８]にま
だ用いられていないＣＣＥアグリゲーションレベルがあるかを判断し、ある場合に、
これらのＣＣＥアグリゲーションレベルを順次に用いてＣＣＥリソース配分を行い、
ない場合に、このＤＣＩに対するＣＣＥリソース配分を終了する。
２）用いられたＣＣＥアグリゲーションレベルＬで算出されたＰＤＣＣＨ候補領域に
は、１ブロックのみの配分可能なＣＣＥリソースがある。この場合に、このブロック
ＣＣＥリソースをこのＵＥのこのＤＣＩに配分する。
３）用いられたＣＣＥアグリゲーションレベルＬで算出されたＰＤＣＣＨ候補領域に
は、複数ブロックの配分可能なＣＣＥリソースがある。この場合における処理ステッ
プは以下の通りである。
【００８３】
ステップ１において、ＰＤＣＣＨ候補数が閾値Ｂより大きいかを判断し、その結果
が閾値Ｂ以下である場合、ステップ２の処理に移行し、その結果が閾値Ｂより大きい
場合、ステップ３の処理に移行する。一般的に、閾値Ｂを２とする。
【００８４】
ステップ２において、均一法則を用いてＣＣＥの配分を行い、使用されたＣＣＥを
ＣＣＥリソース全体にでけるだけ均一に分布させる。
【００８５】
例えば、ＣＣＥアグリゲーションレベルが８である場合に、対応のＰＤＣＣＨ候補
数が２であり、且ついずれも占用されていないと、ＰＤＣＣＨ候補領域に関連する両
端の同一ＣＣＥアグリゲーションレベルＬのＣＣＥリソースが占用されるかを考え（
全部と一部占用という２種の状況を含む）、一端が占用されるが他端が占用されない
と、占用されない端に近づくブロックのＣＣＥリソースをこのＵＥのこのＤＣＩに配
分する。図８は本発明実施例によるＵＥのＤＣＩにＣＣＥアグリゲーションレベルが
８であるＣＣＥリソースを配分する模式図である。図８（ａ）に示すように、あるＵ
ＥがＣＣＥアグリゲーションレベルＬが８であることによりそのＤＣＩに対してＣＣ
Ｅ配分を行い、ＰＤＣＣＨ候補領域ＣＣＥ8〜ＣＣＥ23では、ＣＣＥ8〜ＣＣＥ15及び
ＣＣＥ16〜ＣＣＥ23という２つのブロックの配分可能なＣＣＥリソースがあり、それ
とともに、ＣＣＥリソースにおいてＣＣＥ16〜ＣＣＥ23に近づくＣＣＥ23〜ＣＣＥ3
1が占用されているため、このＵＥのこのＤＣＩにＣＣＥ8〜ＣＣＥ15の一部のＣＣＥ
リソースを配分する。
【００８６】
また、例えば、両端が占用されていないと、更にＰＤＣＣＨ候補領域に次に関連す
る両端の同一ＣＣＥアグリゲーションレベルＬのＣＣＥリソースが占用されるかを考
慮し、一端が占用されるが他端が占用されないと、占用されない端に近づくブロック
のＣＣＥリソースをこのＵＥのこのＤＣＩに配分する。判定されるまでに、以上の方
法で順次に判断する。
【００８７】
また、例えば、両端が占用されると、更にＰＤＣＣＨ候補領域に次に関連する両端
の同一ＣＣＥアグリゲーションレベルＬのＣＣＥリソースが占用されるかを考慮し、
一端が占用されるが他端が占用されないと、占用されない端に近づくブロックＣＣＥ
リソースをこのＵＥのこのＤＣＩに配分する。判定されるまでに、以上の方法で順次
に判断する。
【００８８】
なお、ボーダーＣＣＥリソースの場合に、ボーダーのアイドルＣＣＥリソースを優
先的に配分する。図８（ｂ）に示すように、あるＵＥがＣＣＥアグリゲーションレベ
ルＬが８であることにより、そのＤＣＩにＣＣＥ配分を行う。ＰＤＣＣＨ候補領域Ｃ
ＣＥ8〜ＣＣＥ23では、ＣＣＥ0〜ＣＣＥ7及びＣＣＥ8〜ＣＣＥ15という２つのブロッ
クの配分可能なＣＣＥリソースがあり、且つＣＣＥ0〜ＣＣＥ7がボーダーＣＣＥリソ
ースであるため、このＵＥのこのＤＣＩにＣＣＥ0〜ＣＣＥ7の一部のＣＣＥリソース
を配分する。
【００８９】
なお、図８では配分領域は、用いられたＣＣＥアグリゲーションレベルＬで算出さ
れたＰＤＣＣＨ候補領域における配分可能なＣＣＥリソースを示す。
【００９０】
ステップ３において、集合性の均一法を用いてＣＣＥの配分を行い、即ち、同時に
２つの方面を両立させる。第１方面が均一性を指し、即ち使用されたＣＣＥリソース
をＣＣＥリソース全体にできるだけ均一に分布させ、第２方面が集合性を指し、即ち
使用されたＣＣＥリソースをある又は複数のＣＣＥアグリゲーションレベルが占用し
ようとするＣＣＥリソースにできるだけ占めさせる。
【００９１】
一般的には、ＰＤＣＣＨ候補領域には関連付けて占用（一部占用及び全部占用を含
む）されるＣＣＥリソースを合わせて構成された一つ上のレベルのＣＣＥアグリゲー
ションレベルの本層ＣＣＥアグリゲーションレベルの大きさの１つのブロックのアイ
ドルＣＣＥリソースが存在する場合に、第２方面を優先的に考慮し、即ち集合性、即
ち、このアイドルＣＣＥリソースの配分を優先的に考慮する。図９（ａ）に示すよう
に、図９は本発明実施例によるＵＥのＤＣＩにＣＣＥアグリゲーションレベルが２と
１であるＣＣＥリソースを配分する模式図である。
【００９２】
更に、ＰＤＣＣＨ候補領域には関連付けて占用（一部占用及び全部占用を含む）さ
れるＣＣＥリソースを合わせて構成された一つ上のレベルのＣＣＥアグリゲーション
レベルの本層ＣＣＥアグリゲーションレベルの大きさの複数ブロックのアイドルＣＣ
Ｅリソースが存在する場合に、図９（ｂ）に示すように、更にこれらアイドルＣＣＥ
リソースブロックに対して均一法則で判断する。
【００９３】
更に、ＰＤＣＣＨ候補領域には関連付けて占用（一部占用及び全部占用を含む）さ
れるＣＣＥリソースを合わせて構成された一つ上のレベルのＣＣＥアグリゲーション
レベルの本層ＣＣＥアグリゲーションレベルの大きさの１ブロックのアイドルＣＣＥ
リソースが存在しない場合に、図９（ｃ）に示すように、均一法則でＰＤＣＣＨ候補
領域におけるアイドルＣＣＥリソースを判断する。
【００９４】
更に、均一法則でＰＤＣＣＨ候補領域におけるアイドルＣＣＥリソースに対して判
定されたアイドルＣＣＥリソースは複数ブロックがある場合に、これらのアイドルＣ
ＣＥリソースからいずれか１つのブロックを配分する。図９(ｄ)に示すように、均一
法則を用いて、ＣＣＥリソースＣＣＥ10〜ＣＣＥ11とＣＣＥ12〜ＣＣＥ13であっても
よく、ＣＣＥ10〜ＣＣＥ11とＣＣＥ12〜ＣＣＥ13を任意に配分する。図９(ｄ)がＣＣ
Ｅ10〜ＣＣＥ11を配分する。
【００９５】
なお、図９では、配分領域は、用いられたＣＣＥアグリゲーションレベルＬで算出
されたＰＤＣＣＨ候補領域における配分可能なＣＣＥリソースを示す。このようにし
て処理が終了する。
【００９６】
ＣＱＩとＰＤＣＣＨ符号化率のマッピング関係は、ＰＤＣＣＨチャネルのエラー符
号化率がエラー符号化率閾値Ａ以下である場合に、相応のダウンリンクチャネル品質
がＣＱＩに許可するＰＤＣＣＨ符号化率範囲を指示する。一般的には、ＰＤＣＣＨの
エラー符号化率閾値Ａが１％を取る。図１０は本発明実施例によるＣＱＩとＰＤＣＣ
Ｈ符号化率との間のマッピング関係の模式図であり、図１０に示すように、縦座標が
ＰＤＣＣＨの符号化率を示し、各ＣＱＩ値が一段符号化率の値に対応し、例えば、Ｃ
ＱＩが１対応符号化率[ＣＲ１ｍｉｎ,ＣＲ１ｍａｘ)であり、ＣＱＩがｉ対応符号化
率（Ｃｏｄｅ  Ｒａｔｅ，ＣＲと略称）が[ＣＲｉｍｉｎ,ＣＲｉｍａｘ)であり、Ｃ
ＱＩが１５対応符号化率[ＣＲ１５ｍｉｎ,ＣＲ１５ｍａｘ)である。
【００９７】
ある帯域幅配置の場合に、（周波数分割複信方式（Ｆｒｅｑｕｅｎｃｙ  Ｄｉｖｉ
ｓｉｏｎ  Ｄｕｐｌｅｘ，ＦＤＤと略称）について）、セルダウンリンク帯域幅であ
り、時分割複信（Ｔｉｍｅ  Ｄｉｖｉｓｉｏｎ  Ｄｕｐｌｅｘ、と略称ＴＤＤ）にと
って、セル帯域幅である）について、あるＤＣＩにとって、異なるＣＣＥアグリゲー
ションレベルで、異なるＰＤＣＣＨ符号化率があり、且つＣＣＥアグリゲーションレ
ベルが大きければ大きいほど、その符号化率が小さくなる。
【００９８】
「装置実施例」
本発明の実施例によれば、ＣＣＥリソースを配分する装置を提供する。この装置は
、制御チャネル要素アグリゲーションレベルと現在制御チャネル要素リソースの使用
情報によって制御チャネル要素リソースを配分するための配分モジュールを含む。
【００９９】
この実施例がＣＣＥアグリゲーションレベルを用いてＣＣＥリソースを配分すると
ともに、現在ＣＣＥリソースの使用情報を引入し、アイドルＣＣＥリソースがある場
合に、アイドルＣＣＥリソースを必要なＤＣＩに配分することにより、リソース浪費
を避け、アイドルＣＣＥリソースを効果的に利用する効果を達成した。
【０１００】
図１１は本発明実施例によるＣＣＥリソースを配分する装置の１種の具体的な構造
のブロック図である。図１１に示すように、配分モジュールは、第１の確定サブモジ
ュール１１０２と、第２の確定サブモジュール１１０４とを含む。以下、この構造を
詳しく説明する。
【０１０１】
第１の確定サブモジュール１１０２は、公共ダウンリンク制御情報ＤＣＩに対応す
る制御チャネル要素アグリゲーションレベルによって公共ＤＣＩに選択される制御チ
ャネル要素リソースを確定することに用いられる。第２の確定サブモジュール１１０
４は、第１の確定サブモジュール１１０２に接続され、現在制御チャネル要素リソー
スの使用情報によって公共ＤＣＩに選択される制御チャネル要素リソースから１つの
ブロックの制御チャネル要素リソースを確定して公共ＤＣＩに配分することに用いら
れる。
【０１０２】
この実施例は、ＣＣＥアグリゲーションレベルを用いて公共ＤＣＩに選択されるＣ
ＣＥリソース範囲を確定し、現在ＣＣＥリソースの使用情報を用いて公共ＤＣＩに配
分したＣＣＥリソースを確定することにより、アイドルＣＣＥリソースを効果的に公
共ＤＣＩに配分するようになる。
【０１０３】
ここで、第２の確定サブモジュール１１０４は、判断要素１１０６、第１配分要素
１１０８及び第２の配分要素１１１０を含む。以下、この構造を詳しく説明する。
【０１０４】
判断要素１１０６は、公共ＤＣＩに選択される制御チャネル要素リソースにはボー
ダー制御チャネル要素に位置する制御チャネル要素リソースがあるか否かを判断する
ことに用いられる。第１の配分要素１１０８は、判断要素１１０６に接続され、公共
ＤＣＩに選択される制御チャネル要素リソースにはボーダー制御チャネル要素に位置
する制御チャネル要素リソースがあると判断要素１１０６が判断した場合に、ボーダ
ー制御チャネル要素に位置する制御チャネル要素リソースをＤＣＩに配分することに
用いられる。第２の配分要素１１１０は、判断要素１１０６に接続され、公共ＤＣＩ
に選択される制御チャネル要素リソースにはボーダー制御チャネル要素に位置する制
御チャネル要素リソースがないと判断要素１１０６が判断した場合に、均一法則で公
共ＤＣＩに選択される制御チャネル要素リソースから１つのブロックの制御チャネル
要素リソースを確定してＤＣＩに配分することに用いられる。
【０１０５】
この実施例はアイドルボーダーＣＣＥが存在する場合に、公共ＤＣＩにボーダーＣ
ＣＥを配分し、アイドルボーダーＣＣＥが存在しない場合に、均一法則で公共ＤＣＩ
にＣＣＥを配分し、これでＤＣＩに配分したＣＣＥリソースがＣＣＥ領域全体に均一
に分布するようになる。
【０１０６】
第２の確定サブモジュール１１０４は均一法則で公共ＤＣＩに選択される制御チャ
ネル要素リソースから１つのブロックの制御チャネル要素リソースを確定してＤＣＩ
に配分してもよい。
【０１０７】
この実施例が均一法則で公共ＤＣＩにＣＣＥを配分し、これでＤＣＩに配分された
ＣＣＥリソースがＣＣＥ領域全体に均一に分布するようになる。
【０１０８】
図１２は本発明実施例によるＣＣＥリソースを配分する装置の他種の具体的な構造
のブロック図であり、図１２に示すように、配分モジュールは、第３の確定サブモジ
ュール１２０２及び第４の確定サブモジュール１２０４を含む。以下、この構造を詳
しく説明する。
【０１０９】
第３の確定サブモジュール１２０２は、ＵＥのＤＣＩに対応する制御チャネル要素
アグリゲーションレベルによってＵＥのＤＣＩに選択される制御チャネル要素リソー
スを確定することに用いられる。第４の確定サブモジュール１２０４は、第３の確定
サブモジュール１２０２に接続され、均一法則でＵＥのＤＣＩに選択される制御チャ
ネル要素リソースから１つのブロックの制御チャネル要素リソースを確定してＵＥの
ＤＣＩに配分することに用いられる。
【０１１０】
この実施例はＣＣＥアグリゲーションレベルを用いてＵＥのＤＣＩに選択されるＣ
ＣＥリソース範囲を確定し、現在ＣＣＥリソースの使用情報を用いてＵＥのＤＣＩに
配分するＣＣＥリソースを確定することにより、アイドルＣＣＥリソースをＵＥのＤ
ＣＩに配分するようになる。
【０１１１】
ここで、第４の確定サブモジュール１２０４はＵＥのＤＣＩに配分された制御チャ
ネル要素リソースが複数ブロックの制御チャネル要素リソースであって確定する場合
に、配分モジュールは更に、前記複数ブロックの制御チャネル要素リソースにおいて
現在制御チャネル要素アグリゲーションレベルより大きく占めた制御チャネル要素ア
グリゲーションレベルの１つのブロックの制御チャネル要素リソースを選択して前記
ＵＥのＤＣＩに配分することに用いられる選択サブモジュール１２０６を含む。
【０１１２】
この実施例は均一法則でＵＥのＤＣＩにＣＣＥを配分することにより、ＤＣＩに配
分されたＣＣＥリソースがＣＣＥ領域全体内に均一に分布するようになる。
【０１１３】
装置実施例に記載のＣＣＥリソースを配分する装置が上述の方法実施例に対応し、
その具体的な実現方法が方法実施例で既に詳しく説明したため、ここでは、その詳細
な説明を省略する。
【０１１４】
総じていえば、本発明を用いて、ＣＣＥリソースの利用率を向上した。
特に、図面のフローチャートに示すステップは１セットの計算装置によってコマン
ドを実行できる計算装置システムで実行でき、且つ、フローチャートで論理順序を示
したが、ある場合に、上記論理順序と異なる順序で示された又は記載されたステップ
を実行してもよい。
【０１１５】
当業者にとって、上述の本発明の各モジュール又は各ステップは共通の計算装置に
よって実現することができ、単独の計算装置に集積させてもよいし、複数の計算装置
により構成されるネットワークに分布させてもよく、或は計算装置が実行可能なプロ
グラムのコードによって実現することもできるので、それらを記憶装置に記憶させて
計算装置によって実行することができ、又はそれらをそれぞれ集積回路ブロックに生
成し、又はそれらにおける複数のモジュール又はステップを単独の集積回路モジュー
ルに生成して実現することができることは明らかなことである。このように、本発明
は如何なる特定のハードウェアとソフトウェアの結合に限定されない。
【０１１６】
以上は、本発明の好適な実施例に過ぎず、本発明を限定するものではない。当業者
であれば本発明に様々な修正や変形が可能である。本発明の精神や原則内での如何な
る修正、置換、改良などは本発明の保護範囲内に含まれる。
【図１】
0005571195.tif 000005
【図２】
0005571195.tif 000006
【図３】
0005571195.tif 000007
【図４】
0005571195.tif 000008
【図５】
0005571195.tif 000009
【図６】
0005571195.tif 000010
【図７】
0005571195.tif 000011
【図８】
0005571195.tif 000012
【図９】
0005571195.tif 000013
【図１０】
0005571195.tif 000014
【図１１】
0005571195.tif 000015
【図１２】
0005571195.tif 000016